(57)【特許請求の範囲】
【請求項１】
粉粒体を貯蔵する貯槽に取付け、該貯槽からの粉粒体の排出状態を検出する対向型マイクロウェーブ式レベルスイッチを用いた粉粒体排出検出装置であって、
前記貯槽の壁面に一対の開口部を対向するように設け、該開口部を覆い水平で一対の管体の軸線が一直線上となるように管体の一端を各々前記貯槽の壁面に取付け、各々の前記管体の他端に対向型マイクロウェーブ式レベルスイッチの送波器及び受波器を取付け、各開口部を塞ぐように各管体に取付ける着脱可能な開口部閉塞体に、マイクロ波が透過可能で、前面に粉粒体が堆積、付着しないように、帯電防止剤を含有し、粉粒体との接触により表面が傷付かずかつ静電気が発生しない摩擦摩耗特性を有する四フッ化エチレン樹脂を使用し、該開口部閉塞体を前記貯槽の内壁面と面一となるように取付け、
前記粉粒体が角張った粉粒体であることを特徴とする粉粒体排出検出装置。
【請求項２】
前記開口部は、逆円錐形状又は逆多角錐形状のホッパ部を出口に有する前記貯槽の該ホッパ部に設けられていることを特徴とする請求項１に記載の粉粒体排出検出装置。
【請求項３】
前記開口部閉塞体を、開口部を塞ぐ閉塞体と該閉塞体を支持する支持体とで形成し、前記閉塞体と前記支持体とは着脱可能であり、前記閉塞体のみをマイクロ波が透過可能で、前面に粉粒体が堆積、付着しないように、帯電防止剤を含有し、粉粒体との接触により表面が傷付かずかつ静電気が発生しない摩擦摩耗特性を有する四フッ化エチレン樹脂で形成することを特徴とする請求項１又は２に記載の粉粒体排出検出装置。
【請求項４】
前記粉粒体は、粗粉砕された石炭であることを特徴とする請求項１から３のいずれか１に記載の粉粒体排出検出装置。
【請求項５】
前記請求項１から４のいずれか１に記載の粉粒体排出検出装置と、
粉粒体を貯蔵する貯槽と、
を含むことを特徴とする粉粒体貯蔵設備。
【発明の詳細な説明】
【技術分野】
【０００１】
本発明は、粉砕された石炭、焼却灰など粉粒体を貯蔵する貯槽から正常に粉粒体が排出しているか否かを検出する粉粒体排出検出装置に関し、特に粉粒体の排出の検出を、対向型マイクロウェーブ式レベルスイッチを用いて行う粉粒体排出検出装置、及びこの粉粒体排出検出装置を備える粉粒体貯蔵設備に関する。
【背景技術】
【０００２】
粉粒体を貯蔵する貯槽は、バンカ、サイロなどの名称で呼ばれ、石炭焚き火力発電所では、石炭を貯蔵する石炭バンカ、石炭を燃焼させた後に排出される石炭灰を貯槽する粗粉サイロ、細粉サイロなどの貯灰サイロ、燃焼排ガスに含まれる硫黄酸化物を除去するために使用される石灰石を貯蔵する石灰石サイロなどが使用されている。一般的に、貯槽は円筒体又は角筒体とこれらの下部に配設された逆円錐形状又は逆多角錐形状のホッパとからなる。ホッパの先端には配管、又は粉粒体切出し装置が接続され、貯槽内に貯蔵された粉粒体は、これらを介して他の機器、場所に送られる。例えば、微粉炭燃焼ボイラ用の石炭を貯槽する石炭バンカにあっては、貯炭場から送られる石炭、又は貯炭場から送られる石炭を粗粉砕した石炭を貯蔵する石炭バンカの出口部に給炭機を配設し、給炭機を介して石炭を微粉砕するミルに送り、ここで微粉砕した石炭を微粉炭燃焼ボイラに空気輸送している。
【０００３】
ところで貯槽内に貯槽された粉粒体は、貯槽内で圧密され、粉粒体を排出する際ホッパ部でブリッジが発生し、これが原因で粉粒体が排出口から排出しなくなることはよく知られており、これに対する対策がいくつか提案されている。また、貯槽内でブリッジが発生すると、貯槽から粉粒体が排出されなくなるため、必要に応じて後流に配設された機器を停止等する操作が必要となる。ブリッジ以外の理由、たとえば異物の混入による閉塞、又は貯槽内に粉粒体が無く後流側の機器に粉粒体が供給されなくなる場合も、必要に応じて後流の機器を停止等する操作が必要となる。このため貯槽内からの粉粒体の排出状況を検出する技術も提案されている。
【０００４】
ブリッジの解消方法として、バイブレータを貯槽の壁面に取付け振動を与える方法があるが、この方法は、ブリッジの解消に必要な大きな振動を与えることが困難であるとして、粉体貯蔵サイロ内に撹拌部材を設置し、撹拌部材を回転させることでブリッジを解消する技術が提案されている（例えば特許文献１参照）。また、截頭錐体を有する粉粒体貯槽を二重にすることで、粉粒体の堆積によって生じる内部応力を分散し、ブリッジの発生を防止する技術も提案されている（例えば特許文献２参照）。
【０００５】
貯槽内からの粉粒体の排出状況を検出する技術には、静電容量式検出器又は音響式検出器を用いる方法がある。例えば、石炭バンカの下部に配設されたシュート部に静電容量式検出器又は音響式検出器を取付け、これを用いて石炭の排出状態を確認する。しかし静電容量式検出器では、検出端子部に石炭が固着していれば石炭の詰まりはないと誤認識し、音響式検出器は、石炭がシュート部を通過する音をマイクロホンで収集するので、ある音圧レベル以上の音があれば、シュート部を石炭が通過していると認識してしまうと言う問題が指摘されている。石炭の供給をより確実に検出する方法として、給炭機の後流側に監視カメラを設置し、このカメラが撮像する信号を画像処理し、石炭の搬送の有無を検出する方法も提案されている（例えば特許文献３参照）。
【特許文献１】特開２００５−２９２０２号公報
【特許文献２】特開２００２−１４５３８５号公報
【特許文献３】特開平１０−６１９３７号公報
【発明の開示】
【発明が解決しようとする課題】
【０００６】
特許文献１及び特許文献２に記載の技術は、ブリッジの発生の抑制に有用な技術と思われるが、これら技術も完全なものではなく、貯槽の大きさ、形状、貯蔵する粉粒体の性状などによっては、貯槽内でブリッジが発生してしまう。よって、貯槽から排出される粉粒体の状態を検出する必要があるが、上記の特許文献３に記載の技術は、給炭機の後流側に監視カメラを設置し、このカメラが撮像する信号を画像処理し、石炭の搬送の有無を検出するので、貯槽の下部に直接配管を配設して、粉粒体を輸送するような場合には適用することはできない。また、カメラの設置場所に制限があるような場合には、粉粒体の排出、供給状態を適切に検出することができず、レンズの汚れによる誤認も懸念される。また、設備が大がかりとなり、設備費も安価とは言えない。特許文献３の技術も含め、液体の場合とは異なり、貯槽から粉粒体が正常に排出されているか否かを適切に検出する技術は十分に確立されているとは言えず、これら技術の開発が待たれている。
【０００７】
本発明の目的は、貯槽に取付け可能で貯槽からの粉粒体の排出状態を精度よく検出可能な粉粒体排出検出装置及び粉粒体貯蔵設備を提供することである。
【課題を解決するための手段】
【０００８】
本発明は、粉粒体を貯蔵する貯槽に取付け、該貯槽からの粉粒体の排出状態を検出する対向型マイクロウェーブ式レベルスイッチを用いた粉粒体排出検出装置であって、
前記貯槽の壁面に一対の開口部を対向するように設け、該開口部を覆い水平で一対の管体の軸線が一直線上となるように管体の一端を各々前記貯槽の壁面に取付け、各々の前記管体の他端に対向型マイクロウェーブ式レベルスイッチの送波器及び受波器を取付け、各開口部を塞ぐように各管体に取付ける着脱可能な開口部閉塞体に、マイクロ波が透過可能で、前面に粉粒体が堆積、付着しないように、帯電防止剤を含有し、粉粒体との接触により表面が傷付かずかつ静電気が発生しない摩擦摩耗特性を有する四フッ化エチレン樹脂を使用し、該開口部閉塞体を前記貯槽の内壁面と面一となるように取付け、
前記粉粒体が角張った粉粒体であることを特徴とする粉粒体排出検出装置である。
【００１０】
また本発明の粉粒体排出検出装置において、前記開口部は、逆円錐形状又は逆多角錐形状のホッパ部を出口に有する前記貯槽の該ホッパ部に設けられていることを特徴とする。
【００１１】
また本発明の粉粒体排出検出装置において、前記開口部閉塞体を、開口部を塞ぐ閉塞体と該閉塞体を支持する支持体とで形成し、前記閉塞体と前記支持体とは着脱可能であり、前記閉塞体のみをマイクロ波が透過可能で、前面に粉粒体が堆積、付着しないように、帯電防止剤を含有し、粉粒体との接触により表面が傷付かずかつ静電気が発生しない摩擦摩耗特性を有する四フッ化エチレン樹脂で形成することを特徴とする。
【００１２】
また本発明の粉粒体排出検出装置において、前記粉粒体は、粗粉砕された石炭であることを特徴とする。
【００１３】
また本発明は、前記請求項１から４のいずれか１に記載の粉粒体排出検出装置と、
粉粒体を貯蔵する貯槽と、
を含むことを特徴とする粉粒体貯蔵設備である。
【発明の効果】
【００１４】
本発明の粉粒体排出検出装置は、貯槽の壁面に一対の開口部を対向するように設け、開口部を覆い水平で一対の管体の軸線が一直線上となるように管体の一端を各々貯槽の壁面に取付け、各々の管体の他端に対向型マイクロウェーブ式レベルスイッチの送波器及び受波器を取付け、各開口部を塞ぐようにマイクロ波が透過可能な開口部閉塞体を各管体に取付けるので、対向型マイクロウェーブ式レベルスイッチを貯槽に取付けても管体内に粉粒体が入り込むことがない。これにより貯槽からの粉粒体の排出状態を精度よく検出することができる。また、貯槽内でのブリッジの発生も容易に検出することができる。さらに開口部閉塞体を貯槽の内壁面と面一となるように管体に取付けるので、開口部閉塞体の前面に粉粒体が堆積することがなく、粉粒体の排出状態の誤認を防止することができる。
【００１５】
また本発明の粉粒体排出検出装置は、開口部を塞ぐように管体に取付ける開口部閉塞体に、マイクロ波が透過可能で前面に粉粒体が堆積、付着しないように、帯電防止剤を含有し、粉粒体との接触により表面が傷付かずかつ静電気が発生しない摩擦摩耗特性を有する四フッ化エチレン樹脂を使用するので、開口部閉塞体が粉粒体と接触しても摩耗しにくい。さらに開口部閉塞体は、帯電防止剤を含有する材料で形成されているので摩擦による静電気の発生が抑制される。これらにより開口部閉塞体前面への粉粒体の堆積、付着が防止され、より精度よく貯槽からの粉粒体の排出状態を検出することができる。特に、貯蔵する粉粒体が角張った粉粒体の場合、粉粒体が開口部閉塞体に衝突、接触することで開口部閉塞体が摩耗し、開口部閉塞体の前面に粉粒体が堆積、付着し、粉粒体の排出状態を誤認し易いけれども、本発明では開口部閉塞体に粉粒体との接触により表面が傷付かずかつ静電気が発生しない摩擦摩耗特性を有する四フッ化エチレン樹脂を使用するので摩耗し難く、角張った粉粒体であっても排出状態を精度よく検出することができる。
【００１６】
また本発明の粉粒体排出検出装置は、開口部閉塞体を、開口部を塞ぐ閉塞体と閉塞体を支持する支持体とで形成し、閉塞体のみをマイクロ波が透過可能で粉粒体との接触により表面が傷付かずかつ静電気が発生しない摩擦摩耗特性を有する四フッ化エチレン樹脂で形成するので、効率的であり、粉粒体排出検出装置をより安価に製造することができる。また閉塞体と支持体とが着脱可能であるので、閉塞体が摩耗した場合であっても閉塞体のみを交換すればよく経済的である。
【００１８】
また本発明で、開口部は、逆円錐形状又は逆多角錐形状を有するホッパ部を出口に有する貯槽のホッパ部に設けられるので、サイロ、石炭バンカなどに容易に本発明を適用することができる。ブリッジは、ホッパ部で発生しやすいので、この部分に粉粒体排出検出装置を取付けることでブリッジの発生をより検出しやすくなる。ホッパ部に粉粒体排出検出装置を取付けると、垂直な壁面に取付ける場合と比較し、開口部を塞ぐように設けた開口部閉塞体と粉粒体との衝突、接触が多くなるが、本発明では、開口部閉塞体にマイクロ波が透過可能で前面に粉粒体が堆積、付着しないように、帯電防止剤を含有し、粉粒体との接触により表面が傷付かずかつ静電気が発生しない摩擦摩耗特性を有する四フッ化エチレン樹脂を使用するので、開口部閉塞体が粉粒体と接触しても摩耗し難く、さらに摩擦による静電気の発生が抑制される。これらにより開口部閉塞体前面への粉粒体の堆積、付着が防止され、ホッパ部に粉粒体排出検出装置を取付けても精度よく貯槽からの粉粒体の排出状態を検出することができる。
【００１９】
また本発明で、粉粒体は、粗粉砕された石炭であるので粗粉砕された石炭を貯蔵する石炭バンカに本発明を適用することができる。粗粉砕された石炭は、角張った形状を有しているため材料を傷つけやすいが、本発明では、開口部閉塞体にマイクロ波が透過可能で前面に粉粒体が堆積、付着しないように、帯電防止剤を含有し、粉粒体との接触により表面が傷付かずかつ静電気が発生しない摩擦摩耗特性を有する四フッ化エチレン樹脂を使用するので、開口部閉塞体が粉粒体と接触しても摩耗し難く、さらに摩擦による静電気の発生が抑制される。これらにより開口部閉塞体前面への粉粒体の堆積、付着が防止され、より精度よく貯槽からの粉粒体の排出状態を検出することができる。
【００２０】
また本発明は、上記の粉粒体排出検出装置と粉粒体を貯蔵する貯槽とを含む粉粒体貯蔵設備であるので、石炭バンカ、焼却灰サイロなどに本発明を利用することができる。
【発明を実施するための最良の形態】
【００２１】
図１は、本発明の実施形態としての粉粒体排出検出装置１を石炭バンカ２に取付けた状態を示す部分断面図である。図２は、粉粒体排出検出装置１の粉粒体の排出検出原理を説明するための図であって、図２（ａ）は、石炭バンカ２から計量給炭機２８に石炭が定常的に排出されている様子を示す図であり、図２（ｂ）は、ホッパ部１０にブッリジが発生している状態を示す図である。
【００２２】
本実施形態に示す粉粒体排出検出装置１は、石炭の排出状態を検出する対向型マイクロウェーブ式レベルスイッチ３と、対向型マクロウエーブ式レベルスイッチ３を構成する送波器４及び受波器５、送波器４及び受波器５を石炭バンカ２に取付けるための一対の管体６ａ、６ｂ、管体６（６ａ、６ｂ）内に取付け管体６内に石炭７が入り込むことを防止する開口部閉塞体８ａ、８ｂを主に構成される。
【００２３】
石炭バンカ２は、粗粉砕された石炭７を受入れ貯蔵する貯槽であって、上部に円筒体（図示を省略）を下部に逆円錐形状のホッパ１０を有する。ここに示す石炭バンカ２は、図示を省略した微粉炭燃焼ボイラへ微粉炭を供給するする設備の一部であって、石炭バンカ２から排出された石炭７は、ホッパ下部に配設される計量給炭機２８を介して図示を省略した石炭微粉砕機へ送られ、ここで微粉炭となり最終的に微粉炭燃焼ボイラ（図示を省略）へ供給される。
【００２４】
対向型マイクロウェーブ式レベルスイッチ３は、送波器４と受波器５とを備え、送波器４から発射されるマイクロ波を受波器５で受信し、受波器５が受信するマイクロ波の大きさ、又は有無から送波器４と受波器５との間に測定対象物が存在するか否かを検出するもので、多くのメーカから市販されている。本発明で使用する対向型マイクロウェーブ式レベルスイッチ３も特別のものではなく、市販されている対向型マイクロウェーブ式レベルスイッチを使用することができる。
【００２５】
対向型マイクロウェーブ式レベルスイッチ３の送波器４及び受波器５は、管体６ａ、６ｂを介してホッパ部１０に装着される。ホッパ部１０の壁面に開口部１１ａ、１１ｂを穿設し、この開口部１１ａ、１１ｂを覆うように管体６ａ、６ｂの一端を固着する。開口部１１ａ、１１ｂを設けるのは、マイクロ波は、金属材料を透過することがでないことによる。管体６ａ、６ｂは、水平にまた一対の管体６ａ、６ｂが一直線上になるように壁面に固着する。管体６ａ、６ｂは、他端に、送波器４及び受波器５を固着するためのフランジ１３ａ、１３ｂを有する。送波器４及び受波器５も取付け用のフランジ部１５、１６を有するので、このフランジ部１５、１６を介して管体６ａ、６ｂに送波器４及び受波器５を固着する。
【００２６】
送波器４及び受波器５は、管体６ａ、６ｂに取付け使用するが、この状態で使用すると、開口部１１ａ、１１ｂから管体６ａ、６ｂに石炭７が入り込む。管体６ａ、６ｂの内部に石炭７が入り込むと、対向型マイクロウェーブ式レベルスイッチ３は、ホッパ部１０に石炭７がないときもホッパ部１０に石炭７があるとの信号を出力するため、誤認してしまう。これを防止するために管体６ａ、６ｂの内部に石炭７が入り込まないように、開口部１１ａ、１１ｂを閉塞するための開口部閉塞体８ａ、８ｂを管体６ａ、６ｂに取付ける。開口部閉塞体８ａ、８ｂは、開口部閉塞体８ａ、８ｂの端面１７ａ、１７ｂがホッパ１０の内壁面１９ａ、１９ｂと面一となるように取付ける。
【００２７】
開口部閉塞体８ａ、８ｂの端面１７ａ、１７ｂとホッパ１０の内壁面１９ａ、１９ｂとに段差があると、この段差部に石炭７が堆積してしまい、対向型マイクロウェーブ式レベルスイッチ３が常時ホッパ部１０に石炭７があるとの信号を出力するため、誤認してしまう。これを防止するために開口部閉塞体８ａ、８ｂの端面１７ａ、１７ｂがホッパ１０の内壁面１９ａ、１９ｂと面一となるように取付ける。
【００２８】
また、開口部閉塞体８ａ、８ｂは、マイクロ波を透過する材料であることが必要であるとともに、耐摩耗性に優れた材料で形成する。開口部閉塞体８ａ、８ｂを耐摩耗性に優れた材料で形成しないと、石炭７が開口部閉塞体８ａ、８ｂに接触し、開口部閉塞体８ａ、８ｂの表面を傷つけ、又は開口部閉塞体８ａ、８ｂを磨耗させてしまう。その結果、開口部閉塞体８ａ、８ｂの前面部（端面部）１７ａ、１７ｂに石炭が堆積し、対向型マイクロウェーブ式レベルスイッチ３は、ホッパ部１０に石炭７があるとの信号を出力するため、誤認してしまう。これを防止する観点から、開口部閉塞体８ａ、８ｂは、耐摩耗性に優れた材料で形成する。
【００２９】
また、開口部閉塞体８ａ、８ｂは、摩擦係数が小さい材料で形成することが好ましい。摩擦係数が小さい材料で開口部閉塞体８ａ、８ｂを形成することで、石炭の接触による磨耗を抑制することが可能となり、さらに静電気による開口部閉塞体８ａ、８ｂの端面１７ａ、１７ｂへの石炭粉の付着も抑制することができる。これより、石炭有無の検出精度が向上する。特に石炭バンカ２のように角張った材料を貯蔵、排出する貯槽にあっては、開口部閉塞体８ａ、８ｂが傷つき、磨耗しやすいので材料選定には注意が必要である。さらにホッパ部１０のように、傾斜した壁面に開口部１１ａ、１１ｂを設け、この開口部１１ａ、１１ｂを塞ぐように開口部閉塞体８ａ、８ｂを取付ける場合は、垂直な壁面に開口部を設ける場合に比べ、開口部閉塞体８ａ、８ｂに多くの石炭７が接触するため、よりいっそう開口部閉塞体８ａ、８ｂが傷つき、磨耗しやすい。
【００３０】
上記条件を備え、加工の容易性、材料費を考慮すれば、開口部閉塞体８ａ、８ｂの材料としては、四フッ化エチレン樹脂が好ましい。さらに、マイクロ波を大きく減衰させることなく透過させ、摩擦磨耗特性に優れた材料であるとともに、非帯電性に優れた材料であれば、静電気による開口部閉塞体８ａ、８ｂの端面１７ａ、１７ｂへの石炭粉の付着もさらに抑制されより好ましい。マイクロ波を透過させ、非帯電性に優れた材料としては、帯電防止剤を含有する合成樹脂が例示される。
【００３１】
開口部閉塞体８ａ、８ｂの管体６ａ、６ｂへの取付けは、石炭７が管体６ａ、６ｂ内に入り込まないように、又開口部閉塞体８ａ、８ｂの端面１７ａ、１７ｂがホッパ１０の内壁面１９ａ、１９ｂと面一となるように取付けることが可能ならば、取付け方法は特に限定されない。よって、本実施形態に示すように、開口部閉塞体８ａ、８ｂの本体を管体６ａ、６ｂの内径とほぼ同じ大きさで形成し、前面部をホッパの形状に合わせ、後端にフラシジ部２１ａ、２１ｂを形成し、このフランジ部２１ａ、２１ｂを、管体６ａ、６ｂのフランジ１３ａ、１３ｂと送波器４及び受波器５のフランジ１５、１６とで挟み込むようにして固定してもよい。
【００３２】
上記のように構成され、石炭バンカ２に取付けた石炭７の排出状態を検出する粉粒体排出検出装置１の対向型マイクロウェーブ式レベルスイッチ３は、図示を省略した外部から電源の供給を受けて作動し、受波器５は送波器４から発射されるマイクロ波を受信し、外部に信号を出力する。石炭バンカ２から計量給炭機２８へ石炭を定常供給しているときは、図２（ａ）に示すようにホッパ部１０は石炭７で満杯の状態である。この状態では、送波器４から発射されるマイクロ波は、石炭７に遮断され、受波器５が受信するマイクロ波は小さいか、又は受信することができない。これによりホッパ部１０に石炭があることを検知することができる。
【００３３】
一方、ホッパ部１０でブリッジが発生すると、計量給炭機２８のコンベヤ上の石炭７はそのまま石炭微粉砕機（図示を省略）へ送られるため、図２（ｂ）に示すようにホッパ部１０に大きな空間部２５が発生する。この状態では、送波器４から発射されるマイクロ波は、殆ど減衰することなく受波器５に送られるので、これによりホッパ部１０に石炭７がないことを検知することができる。本実施形態に示す粉粒体排出検出装置１は、ブリッジの発生を直接的に検出するものではなく、対向型マイクロウェーブ式レベルスイッチ３の送波器４と受波器５との間に石炭７が存在するか否かを検出することで、間接的にブリッジの発生などを検出するものであり、円筒部（図示を省略）でブリッジが発生した場合、石炭バンカ２内の石炭が全て排出され、石炭バンカ２内が空になったことも検出することができる。
【００３４】
図３は、図１に示した粉粒体排出検出装置１の開口部閉塞体８ａ、８ｂの変形例３０を示す断面図である。図３に示す開口部閉塞体３０は、開口部１１ａ、１１ｂを閉塞する閉塞体３１とこれを支持固定するための支持体３２とからなる。図１に示す開口部閉塞体８ａ、８ｂは、同一の部材で一体的に形成されていたが、開口部閉塞体８ａ、８ｂは、必ずしも同一の部材で一体的に形成する必要はない。開口部閉塞体８ａ、８ｂは、マイクロ波を大きく減衰させることなく開口部１１ａ、１１ｂを閉塞し、管体６ａ、６ｂ内に石炭７が入り込むことを防止する機能を有するものであればよい。よって、開口部閉塞体３０を、開口部を閉塞する閉塞体３１とこれを支持固定する支持体３２とで形成し、これらを別々に製造した後、これらを固着し使用してもよい。
【００３５】
閉塞体３１は、板状の形状を有し、石炭７と接触するので、マイクロ波を大きく減衰することなく又耐摩耗性に優れた合成樹脂、例えば四フッ化エチレン樹脂で形成する。一方、支持体３２は、管体であって、一端に固定用のフランジ部２１を有する。支持体３２は、直接石炭７と接触することがないので磨耗性を考慮する必要はなく、例えば塩化ビニルなど加工が容易で安価な材料で形成することができる。なお、支持体３２は、中実材であってもよい。
【００３６】
閉塞体３１と支持体３２との固着方法は特に限定されないので、閉塞体３１に貫通孔、支持体３２に雌ねじを設け、閉塞体３１と支持体３２とを雄ねじで接続してもよい。閉塞体３１に凸部を設け、支持体３２に閉塞体３１の凸部に嵌合可能な凹部を設け、閉塞体３１を支持体３２に嵌込み固定してもよい。その他の方法であってもよいことは言うまでもないが、閉塞体３１と支持体３２とを着脱可能に固着する方法が好ましい。これにより閉塞体３１が磨耗したような場合であっても閉塞体３１のみ交換することが可能となる。
【００３７】
以上、実施形態を用いて説明したように、本発明の粉粒体排出検出装置１は、簡単な構成で貯槽に取付け粉粒体が排出しているか否かを検出することができる。特に開口部１１ａ、１１ｂを閉止する開口部閉塞体８ａ、８ｂを耐摩耗性に優れた材料で形成するので、石炭７のように角張った粉粒体であっても、開口部閉塞体８ａ、８ｂが殆ど磨耗することはなく、開口部閉塞体８ａ、８ｂの前面には粉粒体がほとんど堆積することがない。これにより長期間の使用であっても、粉粒体が排出しているか否かを精度よく、また誤認することなく検出することができる。さらにホッパ部１０に粉粒体排出検出装置１を取付けても、開口部閉塞体８ａ、８ｂがほとんど磨耗することがないので、ホッパ部１０でのブリッジの発生等を的確に検知することができる。また、開口部閉塞体８ａ、８ｂを耐摩耗性に優れ、かつ摩擦係数の小さい材料で形成することで、より精度よく貯槽からの粉粒体の排出状態を検出することができる。
【００３８】
なお、本実施形態では、石炭を貯蔵する例を用いて説明したけれども、粉粒体はこれに限定されるものではなく、粉砕した石灰石を貯蔵する石灰石サイロ、石炭灰を貯槽する貯灰サイロ、砂、砂利、小麦など貯蔵するサイロなどにも本発明の粉粒体排出検出装置１を取付け使用することができることは言うまでもない。
【図面の簡単な説明】
【００３９】
【図１】本発明の実施形態としての粉粒体排出検出装置１を石炭バンカ２に取付けた状態を示す部分断面図である。
【図２】図１の粉粒体排出検出装置１の粉粒体の排出検出原理を説明するための図であって、図２（ａ）は、石炭バンカ２から計量給炭機２８に石炭７が定常的に排出されている様子を示す図であり、図２（ｂ）は、ホッパ部１０にブッリジが発生している状態を示す図である。
【図３】図１の粉粒体排出検出装置１の開口部閉塞体の変形例３０を示す断面図である。
【符号の説明】
【００４０】
１              粉粒体排出検出装置
２              石炭バンカ
３              対向型マイクロウェーブ式レベルスイッチ
４              送波器
５              受波器
６ａ、６ｂ      管体
７              石炭
８ａ、８ｂ      開口部閉塞体
１０            ホッパ部
１１ａ、１１ｂ  開口部
１７ａ、１７ｂ  開口部閉塞体の端面（前面）
１９ａ、１９ｂ  ホッパの内壁面
３０            開口部閉塞体
３１            閉塞体
３２            支持体
【図１】
0005177955.tif 000002
【図２】
0005177955.tif 000003
【図３】
0005177955.tif 000004